(57)【特許請求の範囲】
【請求項１】
紫外線を放射する紫外線光源を覆うカバー本体がフッ素樹脂の主鎖の一部の炭素原子に置換基が結合された構造を有する紫外線を透過する紫外線透過性樹脂で形成された紫外線光源カバーにおいて、
上記カバー本体は、適当な長さに形成されたパイプの一端を、その端面を当接させて端面間を溶着することにより形成される接合部によって閉じ合わせたカバー部と、当該パイプの他端に形成される固定手段を有する固定部とを設け、
上記カバー部の上記接合部を設けた端部は、肉厚を略均一として凹凸の無い平滑面とするか又は凹凸の有る凹凸面として形成し、
上記カバー部の上記接合部を設けた端部を除く部分は、肉厚に変化を持たせて肉厚部を補強部として形成するか又は凹凸を設けて凹凸部を補強部として形成した
ことを特徴とする紫外線光源カバー。
【請求項２】
上記固定部の上記固定手段は、上記カバー本体が取り付けられる取付具のねじ部に螺合されるねじ部である
ことを特徴とする請求項１記載の紫外線光源カバー。
【請求項３】
上記固定部の上記固定手段は、上記カバー本体が取り付けられる取付具の基準面に取り付けるためのフランジ部である
ことを特徴とする請求項１記載の紫外線光源カバー。
【請求項４】
上記補強部は、上記カバー部に設けられ且つ周方向に連続する一又は二以上の環状溝又は環状凸条からなる
ことを特徴とする請求項１記載の紫外線光源カバー。
【請求項５】
上記補強部は、上記カバー部に設けられ且つ周方向と交差する方向に連続する螺旋状溝又は螺旋状凸条からなる
ことを特徴とする請求項１記載の紫外線光源カバー。
【請求項６】
上記補強部は、上記カバー部に設けられ且つ周方向と略直交する方向に延在された一又は二以上の突条又は溝からなる
ことを特徴とする請求項１記載の紫外線光源カバー。
【請求項７】
上記補強部は、上記カバー部に設けた多数の球面状の凹部又は凸部からなる
ことを特徴とする請求項１記載の紫外線光源カバー。
【請求項８】
上記カバー本体には、上記紫外線光源から放射される熱を外部に逃がすための冷却用通路を設けた
ことを特徴とする請求項１記載の紫外線光源カバー。
【請求項９】
上記紫外線透過性樹脂は、四フッ化エチレンと六フッ化プロピレンの共重合体であって、主鎖の炭素に結合するフッ素原子の一部をトリフルオロメチル基（−ＣＦ３）で置換するか、又はテトラフルオロエチレンとパーフルオロアルキルビニルエーテルの共重合体であって、主鎖の炭素に結合するフッ素原子の一部をパーフルオロアルコキシ基（−Ｏ−Ｒｆ）で置換したフッ素樹脂である
ことを特徴とする請求項１記載の紫外線光源カバー。
【請求項１０】
上記カバー本体の上記固定部に基端が固定されると共に当該基端に連続する先端側が上記カバー部内に挿入されて当該カバー部の所定以上の弾性変形を防止する補強部材を設けた
ことを特徴とする請求項１記載の紫外線光源カバー。
【請求項１１】
紫外線を放射する紫外線光源と、
上記紫外線光源を覆う紫外線光源カバーと、を備え、
上記紫外線光源カバーがフッ素樹脂の主鎖の一部の炭素原子に置換基が結合された構造を有する紫外線を透過する紫外線透過性樹脂で形成された紫外線照射装置において、
上記紫外線光源カバーは、適当な長さに形成されたパイプの一端を、その端面を当接させて端面間を溶着することにより形成される接合部によって閉じ合わせたカバー部と、当該パイプの他端に形成される固定手段を有する固定部とを設け、
上記カバー部の上記接合部を設けた端部は、肉厚を略均一として凹凸の無い平滑面とするか又は凹凸の有る凹凸面として形成し、
上記カバー部の上記接合部を設けた端部を除く部分は、肉厚に変化を持たせて肉厚部を補強部として形成するか又は凹凸を設けて凹凸部を補強部として形成した
ことを特徴とする紫外線照射装置。
【請求項１２】
上記固定部の上記固定手段は、上記紫外線光源カバーが取り付けられる取付具のねじ部に螺合されるねじ部である
ことを特徴とする請求項１１記載の紫外線照射装置。
【請求項１３】
上記固定部の上記固定手段は、上記紫外線光源カバーが取り付けられる取付具の基準面に取り付けるためのフランジ部である
ことを特徴とする請求項１１記載の紫外線照射装置。
【請求項１４】
上記補強部は、上記紫外線光源カバーに設けられ且つ周方向に連続する一又は二以上の環状溝又は環状凸条を有する
ことを特徴とする請求項１１記載の紫外線照射装置。
【請求項１５】
上記補強部は、上記紫外線光源カバーに設けられ且つ周方向と交差する方向に連続する螺旋状溝又は螺旋状凸条を有する
ことを特徴とする請求項１１記載の紫外線照射装置。
【請求項１６】
上記補強部は、上記紫外線光源カバーに設けられ且つ周方向と略直交する方向に延在された一又は二以上の突条又は溝を有する
ことを特徴とする請求項１１記載の紫外線照射装置。
【請求項１７】
上記補強部は、上記紫外線光源カバーに設けた多数の球面状の凹部又は凸部を有する
ことを特徴とする請求項１１記載の紫外線照射装置。
【請求項１８】
上記紫外線光源カバーには、上記紫外線光源から放射される熱を外部に逃がすための冷却用通路を設けた
ことを特徴とする請求項１１記載の紫外線照射装置。
【請求項１９】
上記紫外線光源カバーには、上記紫外線光源から放射される熱を外部に逃がすための冷却用通路と、上記冷却用通路に冷却媒体を強制的に通過させて上記紫外線光源カバー内の熱を外部に放出させる強制冷却手段とを設けた
ことを特徴とする請求項１１記載の紫外線照射装置。
【請求項２０】
上記紫外線光源カバーには、上記固定部に基端が固定されると共に当該基端に連続する先端側が上記カバー部内に挿入されて当該カバー部の所定以上の弾性変形を防止する補強部材を設けた
ことを特徴とする請求項１１記載の紫外線照射装置。
【請求項２１】
上記紫外線光源は、通電することにより紫外線が放射されるランプ部と、このランプ部を固定支持するランプ固定具と、このランプ固定具を着脱自在に固定することにより上記ランプ部を所定位置に支持するランプ支持手段とを有する
ことを特徴とする請求項１１記載の紫外線照射装置。
【発明の詳細な説明】
【０００１】
【発明の属する技術分野】
本発明は、紫外線を放射する紫外線光源を覆って保護する紫外線光源カバー及び当該紫外線光源カバーを備えた紫外線照射装置に関し、特に、紫外線光源カバーがフッ素樹脂の主鎖の一部の炭素原子に置換基が結合された構造を有する紫外線透過性フッ素樹脂でパイプ状に形成されると共に、そのパイプの一端を閉じ合わせて溶着することにより密閉されたカバー部が設けられ且つ他端に固定手段を有する固定部が設けられる紫外線光源カバー及び当該カバーを備えた紫外線照射装置に関するものである。
【０００２】
【従来の技術】
従来、一般に、紫外線を放射する紫外線光源は、例えば、飲料水、清涼飲料、果汁飲料その他の飲料或いは加工食品その他の物を殺菌すること等を目的として様々な分野で使用されている。このような紫外線光源には、一般に、紫外線光源カバーが取り付けられており、この紫外線光源カバーにより、例えば紫外線光源である紫外線ランプの破損によって水銀やガラス破片が飲料水や食品その他の物に入り込んだり、空気中の塵や埃等が紫外線光源に付着して紫外線放射率が減少したりする等の不具合の発生を防止している。
【０００３】
このような紫外線光源のための従来の紫外線光源カバーとしては、例えば、この特許出願人が先に出願したもので、特開平１−１９５８５９号（特公平４−６６５８９号）公報に記載されているようなものが知られている。この紫外線光源カバーは、例えば、タンク内に貯蔵されている水等を殺菌する場合等に用いて好適な殺菌装置に用いたものである。
【０００４】
上述した刊行物の第１図を、この出願の図２０として示す。この図２０に示す殺菌装置１は、殺菌すべき流体を貯蔵するタンク２を備えており、このタンク２の一部に形成された窓孔３を覆うように紫外線光源カバーである閉塞板４が取り付けられている。閉塞板４は、紫外線等の殺菌可能な照射線を透過させる石英ガラス等の透過材によって構成されている。この閉塞板４がタンク２の上面に設けた取付部２ａに嵌合されており、この閉塞板４の周縁部にランプハウジング５の鍔部５ａが重ね合わされている。そして、締付ネジ６ａで鍔部５ａを取付部２ａにネジ締めすることによってランプハウジング５がタンク２に固定されている。
【０００５】
ランプハウジング５は窓孔３と対応して筒状に形成されており、その鍔部５ａと反対側の上端縁５ｂには、照射線を発生するランプ７が出し入れされる中央穴５ｃが設けられている。ランプ７は反射板８に固定されており、ランプ７を中央穴５ｃから挿入した状態で反射板８を締付ネジ６ｂで上端縁５ｂにネジ締めすることにより、ランプ７がランプハウジング５の中ほどに配置されている。更に、反射板８には、ランプハウジング５の内外を連通させる複数の空気孔８ａが設けられている。
【０００６】
かくして、閉塞板４でタンク２の内部とランプハウジング５の内部とを仕切ってランプ７を覆うことにより、タンク２内の水がランプ７に掛かるのを防止してランプ７が破損したり、ランプ７の破損によって生ずるランプ破片等が周囲に飛び散るのを防いだりして、その紫外線光源を保護している。
【０００７】
ところが、このような従来の紫外線光源カバーにおいては、ランプ７を保護するための閉塞板４の材料として紫外線の照射を受けても劣化することのない紫外線に強い石英やフッ素樹脂が用いられており、この閉塞板４をタンク２の取付部２ａに設けた凹部に嵌め込むことによって殺菌装置が構成されていた。そのため、閉塞板４がタンク２の内面と略同一平面上に設定され、この閉塞板４の外に紫外線を放射するランプ７が配置されることから、タンク２内において紫外線の照射範囲が狭くなる。
【０００８】
そのため、図２０に符号Ａで示すように、タンク２内にはランプ７から放射される紫外線が照射されない領域ができてしまい、その非照射領域Ａにおいては紫外線による殺菌作用を得ることができなかった。その結果、タンク２内に貯蔵された流体の一部に紫外線が照射されない非照射領域Ａが生ずると、その非照射領域Ａにある流体に紫外線殺菌を施すことができないばかりでなく、非照射領域Ａにあるタンク２内に付着したカビや細菌の繁殖を許容することになり、不衛生になるという問題があった。
【０００９】
そこで、この出願人は、図２０に示す殺菌装置１に改良を加え、図２１に示すような殺菌装置を完成させた。図２１に示す殺菌装置１０は、一端を半球状に突出させて閉鎖したパイプ状の石英ガラス管によって形成された紫外線光源カバー１１を有し、この紫外線光源カバー１１の閉鎖端側を窓孔３からタンク２内に突出させている。窓孔３にはカバー取付部材１２が締付ネジ６ｃによって固定されており、このカバー取付部材１２の中央部を貫通する貫通孔１２ａに紫外線光源カバー１１の開口端がＯ−リング１３を介して弾性的に支持されている。そして、カバー取付部材１２に螺合された締付部材１４で紫外線光源カバー１１の開口端が押えられていて、これにより紫外線光源カバー１１の抜け出しが防止されている。
【００１０】
また、締付部材１４にはランプハウジング１５が嵌合されていて、締付ネジ６ｄによって締付固定されている。ランプハウジング１５は一端に開口された円筒状をなしており、締付部材１４側と反対側には閉鎖キャップ１６が一体的に取り付けられている。閉鎖キャップ１６の中央部には、電源コード１７の接続されたソケット１８が固定されている。ソケット１８にはランプ１９のプラグ１９ａが接続されている。プラグ１９ａには複数のフィラメント１９ｂが取り付けられており、これらフィラメント１９ｂがＵ字状に形成された照射線発生管１９ｃ内に封止されている。このランプ１９の照射線発生管１９ｃが紫外線光源カバー１１内に挿入されている。
【００１１】
かくして、タンク２内に突出された紫外線光源カバー１１内にランプ１９の照射線発生管１９ｃを挿入し、その照射線発生管１９ｃをタンク２内に突出させることにより、ランプ１９の前方ばかりでなく、その側方及び後方にも照射線を放射させることができるようになっている。その結果、タンク２内において、ランプ７から放射される紫外線等の照射線が照射されない領域を無くすことができ、貯蔵されている流体ばかりでなく、タンク２自体の内面にも紫外線を照射して紫外線による殺菌作用を行うことができ、流体を常に衛生的な状態に維持することができる。
【００１２】
【発明が解決しようとする課題】
しかしながら、図２１に示したような従来の殺菌装置１０においては、ランプ１９を保護するための紫外線光源カバー１１の材料として紫外線に強い石英ガラスが用いられており、この石英ガラス製の紫外線光源カバー１１をタンク２内に挿入する構造となっていたため、例えば、タンク２内に貯蔵される流体の衝突による衝撃力やタンク２内の急激な温度変化による応力が紫外線光源カバー１１に加えられると、紫外線光源カバー１１自体が破損するおそれが生じる。その結果、紫外線光源カバー１１が破損すると、ランプ１９を保護するという初期の目的が達成できなくなるという課題があった。
【００１３】
本発明は、このような課題を解決するためになされたものであり、外力が加えられたり急激な温度変化が生じたような場合にも、それらに耐え得る強度を有する材料によって形成された紫外線光源カバー及びその紫外線光源カバーを備えた紫外線照射装置を提供することにより、外部からの入力等によっても破壊され難く、紫外線光源をしっかりと保護することができるようにして、上述した課題を解決することを目的としている。
【００１４】
【課題を解決するための手段】
上述したような課題等を解決し、上記目的を達成するために、本出願の紫外線光源カバーは、紫外線を放射する紫外線光源を覆うカバー本体がフッ素樹脂の主鎖の一部の炭素原子に置換基が結合された構造を有する紫外線を透過する紫外線透過性樹脂で形成された紫外線光源カバーにおいて、カバー本体は、適当な長さに形成されたパイプの一端を、その端面を当接させて端面間を溶着することにより形成される接合部によって閉じ合わせたカバー部と、パイプの他端に形成される固定手段を有する固定部とを設け、カバー部の接合部を設けた端部は、肉厚を略均一として凹凸の無い平滑面とするか又は凹凸の有る凹凸面として形成し、カバー部の接合部を設けた端部を除く部分は、肉厚に変化を持たせて肉厚部を補強部として形成するか又は凹凸を設けて凹凸部を補強部として形成したことを特徴としている。
【００１５】
また、本出願の紫外線照射装置は、紫外線を放射する紫外線光源と、この紫外線光源を覆う紫外線光源カバーと、を備え、紫外線光源カバーがフッ素樹脂の主鎖の一部の炭素原子に置換基が結合された構造を有する紫外線を透過する紫外線透過性樹脂で形成された紫外線照射装置において、紫外線光源カバーは、適当な長さに形成されたパイプの一端を、その端面を当接させて端面間を溶着することにより形成される接合部によって閉じ合わせたカバー部と、パイプの他端に形成される固定手段を有する固定部とを設け、カバー部の接合部を設けた端部は、肉厚を略均一として凹凸の無い平滑面とするか又は凹凸の有る凹凸面として形成し、カバー部の接合部を設けた端部を除く部分は、肉厚に変化を持たせて肉厚部を補強部として形成するか又は凹凸を設けて凹凸部を補強部として形成したことを特徴としている。
【００１６】
上述のように構成したことにより、本出願の紫外線光源カバーでは、パイプの一端を、その端面を当接させて端面間を溶着することによって密閉されたカバー部が形成され、他端に形成された固定部によってカバー本体を所定位置に取り付けることができる。その結果、紫外線に強いフッ素樹脂系の紫外線透過性樹脂を用いてカバー本体を形成することができ、このカバー本体で紫外線光源を覆って保護することができる。
【００１７】
また、本出願の紫外線照射装置では、紫外線に強いフッ素樹脂系の紫外線透過性樹脂を用いて紫外線光源カバーを形成し、この紫外線光源カバーを用いて紫外線光源を覆うことにより、外部からの入力等によっても紫外線光源カバーが破壊され難く、紫外線光源をしっかりと保護することができる。
【００１８】
【発明の実施の形態】
以下、本発明の実施の形態を添付図面を参照して説明する。図１〜図５は本発明の紫外線照射装置の第１の実施例を示すもので、図１は縦断面図、図２は正面図、図３Ａ〜Ｃは紫外線光源カバーの第１の実施例を示す正面図、縦断面図及び底面図、図４はクランプバンドの取付状態を示す平面図、図５は同じく正面図である。図６〜図８は本発明の紫外線照射装置の第２の実施例を示すもので、図６は縦断面図、図７はランプ支持具の一部断面正面図、図８は図６の要部拡大断面図である。
【００１９】
図９及び図１０は本発明の紫外線照射装置の第３の実施例を示すもので、図９は縦断面図、図１０はランプ支持具の分解正面図である。図１１〜図１７は本発明の紫外線照射装置の第４の実施例を示すもので、図１１は縦半断面図、図１２は平面図、図１３は底面図、図１４は図１１の要部拡大断面図、図１５は紫外線光源カバーの縦半断面図、図１６は図１５に示す紫外線光源カバーのＳ−Ｓ線断面図、図１７Ａ〜Ｄは紫外線光源カバーの図１５におけるＴ部、Ｕ部、Ｖ部及び図１６のＷ部のそれぞれ断面図である。更に、図１８は本発明の紫外線照射装置の第５の実施例を示す縦半断面図、図１９Ａ〜Ｃは紫外線ランプの第４の実施例を示す正面図、側面図及び平面図である。
【００２０】
図１〜図３に示すように、本発明の第１の実施例を示す紫外線照射装置２０は、紫外線を放射する紫外線光源の第１の具体例を示す紫外線ランプ２１と、この紫外線ランプ２１の発光部を覆う紫外線透過性樹脂によって形成された紫外線光源カバー２２と、紫外線ランプ２１を支持するランプ支持具２３と、このランプ支持具２３を介して紫外線ランプ２１を所定の取付場所に取り付けるための取付フランジ２４等を備えて構成されている。
【００２１】
紫外線ランプ２１は、波長範囲が１８０ｎｍ（ナノメートル）から４００ｎｍまでの紫外線のうち、少なくとも波長２４０ｎｍから３００ｎｍまでの波長範囲、特に２５４ｎｍ付近に強い線スペクトルを有する紫外線を発生するものである。尚、紫外線光源としては、後述する第２〜第５実施例においても共通するが、紫外線を含む電磁波を発生し得るものであればよく、例えば、蛍光灯、高圧水銀灯、超高圧水銀灯、低圧水銀灯、超低圧水銀灯、キセノンランプ等の光源を用いることができる。更に、この紫外線光源には、レーザ光を発光する半導体発光素子を用いることができることは勿論のこと、この半導体発光素子や上述したような光源に一端が接続され且つ他端から紫外線を含む電磁波を発光する光ファイバによる発光等を含むものである。
【００２２】
この紫外線ランプ２１は、紫外線を透過する材料によって形成されたランプ部２１ａと、このランプ部２１ａの一端に固定されたランプ固定具である電極部２１ｂと、この電極部２１ｂのランプ部２１ａと反対側に設けられたソケット部２１ｃとを有している。紫外線ランプ２１のランプ部２１ａは、パイプ状の細長い石英ガラス管をＵ字状に折り曲げることによって形成されており、その折曲部と反対側の基端が電極部２１ｂに固定されて一体に構成されている。電極部２１ｂには複数のフィラメント２１ｄが取り付けられており、これらフィラメント２１ｄがＵ字状に形成されたランプ部２１ａ内に封止されている。
【００２３】
この紫外線ランプ２１のランプ部２１ａ内には、例えば水銀とアルゴンガス等が封入されていて、全体として放電灯が構成されている。この紫外線ランプ２１の電極部２１ｂがソケット部２１ｃと電気的に接続されている。そして、紫外線ランプ２１のソケット部２１ｃにランプコード２５が接続されている。このランプコード２５を介して電源からの電力が紫外線ランプ２１に通電され、これにより紫外線を含む電磁波がランプ部２１ａから放射される。このランプ部２１ａが紫外線光源カバー２２内に挿入されている。
【００２４】
紫外線光源カバー２２は、図３Ａ、Ｂ及びＣに示すような構成を有している。即ち、紫外線光源カバー２２は、砲弾のような形状をしたカバー本体からなり、そのカバー本体は、挿入された紫外線ランプ２１から放射される紫外線を外部に放射させるカバー部２２ａと、このカバー部２２ａに連続して一体に形成された固定部２２ｂとを有している。そして、カバー本体の固定部２２ｂ側の端面に、ランプ部２１ａが挿入される開口穴２６が設けられている。
【００２５】
この紫外線光源カバー２２は、肉厚が略一定とされた薄肉のパイプ状中空筒体を素材として形成されており、その中空筒体の軸方向の一端を閉じ合わせて溶着することによって半球状の球面部２２ｃが形成されている。このように中空筒体の軸方向の一端を閉じ合わせて半球状に溶着することにより、一般に、球面部２２ｃには接合面が一文字状に連続する接合部２２ｄが形成される。この中空筒体の軸方向の他端に、カバー部２２ａの外径よりも若干小径とされた円筒状の固定部２２ｂが形成されている。
【００２６】
紫外線光源カバー２２の固定部２２ｂには、この紫外線光源カバー２２を取付フランジ２４に着脱自在に取り付けるためのネジ部２７ａと、後述するＯ−リングを保持するための環状凸部２７ｂとが設けられている。そして、カバー部２２ａの外面には、紫外線光源カバー２２の強度を高めるための補強部の第１の具体例を示す環状溝２８が複数設けられている。各環状溝２８は周方向に連続されていると共に、複数の環状溝２８はカバー本体の軸方向に略等間隔に配置されている。
【００２７】
尚、カバー部２２ａは、その全体を環状溝２８等の凹凸の無い平滑面として形成することもできる。また、複数の環状溝２８は、表面側に突出する環状凸条でも良い。更に、螺旋状に延在される螺旋溝又は螺旋凸条であっても良い。
【００２８】
このような構成を有する紫外線光源カバー２２は、例えば、次のようにして製造することができる。紫外線光源カバー２２の外形に対応した凹陥部を分割金型の各接合面に半分ずつ形成し、２個の金型で１個の紫外線光源カバー２２に対応した砲弾型空間部を形成する。この分割金型に加熱装置を組み合わせ、素材の中空筒体を所定温度に加熱して所定部分を塑性変形させ、固定部２２ｂ及び環状溝２８を形成できるようにする。更に、球面部２２ｃの加熱温度のみは、素材の中空筒体を溶融させて突き合わされた端面間を互いに溶着することができるように所定温度まで高めることができるように構成する。
【００２９】
このような構成を有する紫外線光源カバー２２（後述する紫外線光源カバー  も同様である。）の材質としては、波長範囲が１８０ｎｍ（ナノメートル）〜４００ｎｍ程度の紫外線を透過する紫外線透過性樹脂を適用することができる。この紫外線透過性樹脂の好適な具体例としては、例えば、四フッ化エチレンと六フッ化プロピレンとの共重合体樹脂（以下「ＦＥＰ」という。）及びテトラフルオロエチレンとパーフルオロアルキルビニルエーテルとの共重合体樹脂（以下「ＰＦＡ」という。）を挙げることができる。
【００３０】
ＦＥＰは、四フッ化エチレン樹脂（ＴＦＥ）と同じく炭素原子とフッ素原子で構成され、主鎖の炭素に結合するフッ素原子の一部をトリフルオロメチル基（−ＣＦ3 ）で置換した次のような分子構造を持っている。
0004667671.tif 000002
【００３１】
このように、ＦＥＰは炭素原子とフッ素原子のみから構成されており、炭素とフッ素の結合力が非常に強いため、熱的、電気的、化学的に極めて安定な特性を有している。その結果、極低温から高温まで広い温度範囲で電気的、化学的、機械的用途に優れた性能を示している。更に、ＦＥＰはＴＦＥに比べて溶融粘度が低いため、通常の熱可塑性樹脂と同様に押出、射出、圧縮などの溶融成形を行うことができる、という特性を有している。
【００３２】
また、ＰＦＡは、テトラフルオロエチレンとパーフルオロアルキルビニルエーテルの共重合体で、炭素原子とフッ素原子よりなる主鎖にパーフルオロアルコキシ基が結合した次のような分子構造を持っている。
0004667671.tif 000003
【００３３】
このように、ＰＦＡは炭素とフッ素及び酸素とが強い原子間結合力によって結びついているため、極低温から高温まで広い温度範囲でＰＴＦＥと殆ど同じ優れた性能を有している。このＰＦＡは、ＦＥＰに比べて高温での機械的強度に優れ、成形性も良く、溶融成形することができ、射出、押出、ブロー・トランスファー、圧縮成形などで容易に成形加工を行うことができる、という特性を有している。
【００３４】
この他にも、紫外線光源カバー２２に用いることができる紫外線透過性樹脂としては、代表的なものとして「テフロン（登録商標）」の商品名で知られているポリテトラフルオロエチレン｛以下「ＰＴＦＥ」という、分子構造は（ＣＦ2-ＣＦ2)n ｝や、ポリクロロトリフルオロエチレン｛以下「ＰＣＴＦＥ」という、分子構造は（ＣＦ2-ＣＦＣ１）n ｝、ポリフッ化ビニリデン｛以下「ＰＶＤＦ」という、分子構造は（ＣＨ2-ＣＦ2)n ｝等を挙げることができる。
【００３５】
ＰＴＦＥは、テトラフルオロエチレンをラジカル重合したもので、成形用粉末とディスパージョンに大別される。ＰＴＦＥは白色ろう状結晶性熱可塑性樹脂であり、融点は３２７℃とされているが、実際には３３５〜３４０℃でないと融解せず、また、３８０℃でも粘度が１０11ポイズもあって流動しないので、一般的なプラスチックの成形法が適用できず、普通は常温で成形粉を圧縮成形後、３６０〜３８０℃の炉中でシンタする方法がとられる。このＰＴＦＥは、プラスチックの中では耐高温特性の極めて優れた材料であるが、３８０℃以上では徐々に分解する。
【００３６】
ＰＣＴＦＥは、クロロトリフルオロエチレンを重合した分子量100000〜800000の結晶性熱可塑性樹脂であり、白色の成形用粉末或いはペレットとして、また、ディスパージョンの形で市販されている。ＰＣＴＦＥの融点は２１２〜２１７℃で、ＰＴＦＥと異なり、融点以上の温度で流動するため、一般に、圧縮、押出或いは射出成形が可能である。このＰＣＴＦＥは、耐高温特性の優れた材料であるが、２６０℃以上では徐々に解重合する。
【００３７】
また、ＰＶＤＦは、フッ化ビニリデンをラジカル重合したもので、平均分子量は250000〜1000000 であり、透明乃至乳白色の結晶性の熱可塑性樹脂である。分子量によって異なるが、ＰＶＤＦの融点は１６５〜１８５℃であり、通常の成形法が適用できる。このＰＶＤＦは、他のフッ素樹脂に比べて引張強さ等の力学的性質が優れているが、誘電特性は若干劣る。尚、これらの紫外線透過性樹脂は、その色のいかんを問うものではなく、また、透明・半透明の別等も問われるものではない。
【００３８】
このような紫外線光源カバー２２のカバー部２２ａの肉厚としては、紫外線透過性の観点から考えるとなるべく薄い方がよいが、強度の点を考えると厚い方がよく、その厚みの範囲としては０．０５ｍｍ〜５．０ｍｍの範囲内で適用することができ、好ましくは０．２ｍｍ〜１．２ｍｍ程度である。例えば、カバー部２２ａの肉厚として０．５ｍｍを適用すると、その紫外線透過率は石英ガラスの紫外線透過率の５０％になる。また、カバー部２２ａの肉厚を０．２ｍｍにすると、その紫外線透過率は石英ガラスの透過率の７５％になる。
【００３９】
この第１の実施例のように、紫外線光源カバー２２のカバー部２２ａの全体を紫外線透過性フッ素樹脂で薄肉に形成することにより、紫外線の透過率を高くして多量の紫外線を透過させることができる。これにより、カバー部２２ａの材質によって遮られる紫外線の量を少なくして、紫外線ランプ２１から放射される紫外線を多量に且つ効率良く放射させることができる。その一方、カバー部２２ａには補強部としての環状溝が複数設けられているため、カバー部２２ａ全体の肉厚が薄くても、その強度を高めて十分な耐久性を付与することができる。
【００４０】
尚、上述した第１の実施例では、紫外線光源カバー２２のカバー部２２ａの形状として有底の円筒体を適用した例について説明したが、四角形その他の多角形であっても良く、また円錐形、円錐台形等であっても良い。更に、球形若しくは半球形、或いは六面体、八面体、十六面体その他の殻状をなす中空体であってもよい。
【００４１】
このような紫外線光源カバー２２が着脱自在に装着されるリング状の取付フランジ２４は、図１に示すような構成を有している。即ち、取付フランジ２４には、一面側に突出するカバー嵌合部２４ａと、他面側に突出する支持具嵌合部２４ｂとが設けられている。カバー嵌合部２４ａ及び支持具嵌合部２４ｂは共にリング状の突起部からなり、支持具嵌合部２４ｂはカバー嵌合部２４ａよりも小径とされている。カバー嵌合部２４ａの内周面には、紫外線光源カバー２２のネジ部２７ａが螺合されるカバー用ネジ部２９ａが設けられている。また、支持具嵌合部２４ｂの外周面には、ランプ支持具２３が螺合される支持具用ネジ部２９ｂが設けられている。
【００４２】
ランプ支持具２３は、図１に示すように、それぞれリング状をなす上部リング３１と金網リング３２と下部リング３３とキャップナット３４とスリーブ３５等を備えて構成されている。上部リング３１の外周面の上部にはネジ部３１ａが設けられている。更に、上部リング３１の内周面の下部には内側に突出するフランジ部３１ｂが設けられており、このフランジ部３１ｂの内側にスリーブ３５を収納するための凹部が形成されている。金網リング３２は、その上端縁が上部リング３１の外周面下部に嵌合固定され、また、下端縁が下部リング３３の外周面上部に嵌合固定されている。金網リング３２の両側嵌合部は、はんだ付けや接着剤や溶接その他の固着手段によって各リング３１，３３に固着すると良い。
【００４３】
金網リング３２は、ランプ支持具２３の内外に空気を流通させ、紫外線ランプ２１から放射される熱を外部に排出する等を目的とするものである。この金網リング３２は、紫外線ランプ２１を装着した状態において、フィラメント２１ｄの近傍に配置されるように構成されており、紫外線ランプ２１のうち最も高温になるフィラメント２１ｄの近傍で空気を流通させて熱を外部に逃がすことができるようにしている。この金網リング３２を空気が内外に通過することにより、紫外線光源カバー２２内の自然冷却を行うことができる。尚、金網リング３２の材料としてはパンチングボードを用いることもできる。
【００４４】
この金網リング３２には、側方に突出するノズル３６が設けられている。このノズル３６に、例えばバキューム装置を接続することにより、紫外線光源カバー２２内の空気を吸引して強制的に冷却することができる。また、ノズル３６に、例えば送風装置を接続することにより、紫外線光源カバー２２内に空気を圧送して強制的に空気の流れを作り、紫外線光源カバー２２の内部を強制的に冷却することができる。
【００４５】
下部リング３３の内周面の下部には、取付フランジ２４の支持具用ネジ部２９ｂに螺合するためのネジ部３３ａが設けられている。このネジ部３３ａを設けることによって下部リング３３の内部には、上部側の穴径を小さくした段部が設けられている。この段部によって保護枠体３７が、紫外線光源カバー２２の内側に挿入された状態で挟持されて取り付けられる。３８は、取付フランジ２４に装着された紫外線ランプ２１の装着部を覆って保護する保護シートである。
【００４６】
保護枠体３７は、補強部材の第１の具体例を示すもので、Ｕ字状に形成された２本の枠体片３７ａ，３７ｂと、この２本の枠体片３７ａ，３７ｂの開口側の端部を固定する固定リング３７ｃとから構成されている。この保護枠体３７は、外力等によって紫外線光源カバー２２が所定以上に弾性変形するのを防止するためのもので、カバー部２２ａが所定以上に弾性変形して紫外線ランプ２１のランプ部２１ａを押圧し、このランプ部２１ａを破損させるのを防止する。
【００４７】
この保護枠体３７の固定リング３７ｃは、取付フランジ２４の支持具嵌合部２４ｂに見合う大きさとして、その端面上に載置可能とされている。更に、固定リング３７ｃは支持具嵌合部２４ｂに対して嵌合自在とされていて、着脱自在に構成されている。２本の枠体片３７ａ，３７ｂは、互いに直交させるように９０°回転変位した状態に組み合わされており、その開放側の４箇所の基端は略９０°の間隔をあけて略等間隔に配置されて、固定リング３７ｃの内面に溶接等の固着手段により固定されて一体に形成されている。
【００４８】
また、ランプ支持具２３の上部リング３１には、スリーブ３５を介して紫外線ランプ２１が支持される。スリーブ３５は、電極部２１ｂが嵌合される穴を有するリング体からなり、上部リング３１の内フランジ３１ｂ上に載置される。この上部リング３１に対するスリーブ３５及び紫外線ランプ２１の抜け出しがキャップナット３４によって防止されている。キャップナット３４は、ソケット部２１ｃが挿通される貫通穴３９が中央部に設けられた端面部３４ａと、内周面にネジ部が設けられた円筒部３４ｂとを有するリング体からなり、その外周面には滑り止め用のローレット加工が施されている。
【００４９】
図１において、４０は、キャップナット３４と紫外線ランプ２１の電極部２１ｂ等との間に介在されるシートパッキンである。４１は、紫外線光源カバー２２のカバー部２２ａと固定部２２ｂとの間に装着されるＯ−リングである。また、４２は、紫外線光源カバー２２の固定部２２ｂと取付フランジ２４との間に介在されるシールパッキンである。更に、４３は、ランプ支持具２３の下部リング３３と保護枠体３７の固定リング３７ｃとの間に介在されるシートパッキンである。
【００５０】
上述した取付フランジ２４と、ランプ支持具２３の上部リング３１、金網リング３２、下部リング３３及びキャップナット３４と、保護枠体３７の枠体片３７ａ，３７ｂ及び固定リング３７ｃの材質としては、ステンレス鋼が好適であるが、スチール鋼その他の金属を用いることもできる。また、スリーブ３５と、保護シート３８と、シートパッキン４３の材質としては、紫外線透過性樹脂（例えばテフロン（登録商標）等）が好適であるが、その他のエンジニアリングプラスチックを用いることもできる。
【００５１】
更に、シートパッキン４０と、Ｏ−リング４１と、シールパッキン４２の材質としては、例えば、ニトリルゴムその他のシール用プラスチックを用いることができる。尚、上述した上部リング３１とキャップナット３４とによって、紫外線ランプ２１のためのランプ支持手段が構成されている。
【００５２】
このような構成を有する紫外線照射装置２０は、例えば、次のようにして組立及び分解作業を行うことができる。組立作業は、まず、取付フランジ２４に紫外線保護カバー２２を取り付ける。即ち、取付フランジ２４のカバー嵌合部２４ａのカバー用ネジ部２９ａに、紫外線保護カバー２２の固定部２２ｂに設けたネジ部２７ａを螺合させて締めつける。
【００５３】
このとき、紫外線保護カバー２２のカバー部２２ａと固定部２２ｂの環状凸部２７ｂとの間に予めＯ−リング４１を装着しておき、紫外線保護カバー２２の締め込みによってＯ−リング４１が弾性変形するように構成する。このＯ−リング４１の弾性変形により、紫外線保護カバー２２の緩みを防止することができる。尚、保護シート３８は、予め取付フランジ２４に取り付けておいても良く、また、紫外線保護カバー２２の装着後に取り付けるようにしても良い。
【００５４】
次に、取付フランジ２４に保護枠体３７を取り付ける。即ち、取付フランジ２４の支持具嵌合部２４ｂの穴に保護枠体３７の枠体片３７ａ，３７ｂを挿入する。この枠体片３７ａ，３７ｂを穴内に完全に挿入し、固定リング３７ｃを支持具嵌合部２４ｂの端面に載置させる。その後、支持具嵌合部２４ｂのネジ部３３ａに、ランプ支持具２３の下部リング３３のネジ部を螺合させて締めつける。これにより、下部リング３３と支持具嵌合部２４ｂによって固定リング３７ｃが挟持されて固定される。
【００５５】
次に、取付フランジ２４に取り付けられたランプ支持具２３に紫外線ランプ２１を装着する。即ち、ランプ支持具２３の上部リング３１の穴内にスリーブ３５を収納した後、このスリーブ３５の穴内に紫外線ランプ２１のランプ部２１ａを挿入する。これにより、内フランジ３１ｂによってスリーブ３５及び電極部２１ｂが支持される。この電極部２１ｂ及びスリーブ３５に１又は２以上のシートパッキン４０を重ね合わせる。
【００５６】
更に、貫通穴３９にランプコード２５を挿通させたキャップナット３４を重ね合わせ、円筒部３４ｂの内周面に設けたネジ部を上部リング３１のネジ部２１ａに螺合させる。このキャップナット３４の締め込みにより電極部２１ｂが挟持され、図１に示すような状態に組み立てられて、紫外線照射装置２０の組立作業が完了する。
【００５７】
この紫外線照射装置２０の分解作業は、上述した組立作業と逆の作業によって行うことができる。まず、キャップナット３４を緩めて取り除く。その後、ソケット部２１ｃを持って上方へ引き抜くことにより、紫外線ランプ２１を簡単に取り出すことができる。従って、紫外線ランプ２１の交換作業を簡単に行うことができる。
【００５８】
次に、ランプ支持具２３を緩み方向に回して取付フランジ２４から取り外す。これにより、保護枠体３７の取り出しが可能となり、固定リング３７ｃ側から引き抜くことによって保護枠体３７を取り出すことができる。また、取付フランジ２４に対して紫外線光源カバー２２を緩み方向に回すことにより、紫外線光源カバー２２を取り外すことができる。
【００５９】
このような構成を有する紫外線照射装置２０は、例えば、図４及び図５に示すような取付具の一具体例を示すクランプバンド５０を用いることにより、各種装置の所定位置に取り付けられて使用に供される。図４に示すように、クランプバンド５０は、一対のクランプ片５１，５２と、両クランプ片５１，５２間を回動自在に連結する一対の連結片５３，５３と、一方のクランプ片５１に揺動可能に取り付けられたクランプ軸５４と、このクランプ軸５４に螺合されたクランプナット５５とを有している。
【００６０】
各クランプ片５１，５２は、断面形状が略コ字状をなす半円形の部材からなり、互いの凹側を対向させて全体として環状に形成されている。一対のクランプ片５１，５２の一方の端部間には、これを上下から挟むように一対の連結片５３，５３が掛け渡されている。図５に示すように、一対の連結片５３，５３と各クランプ片５１，５２との間には、これらの間を回動自在に連結するヒンジピン５６が貫通されている。各クランプ片５１，５２の他方の端部には、半径方向外側に突出する支杆部５１ａ，５２ａがそれぞれ設けられている。そして、一方の支杆部５１ａには、軸ピン５７によってクランプ軸５４の基端が回動自在に支持されている。
【００６１】
このクランプ軸５４に対応して他方の支杆部５２ａには、クランプ軸５４が挿脱される軸通し溝が設けられている。この軸通し溝は、支杆部５２ａの外側端に開口されると共に半径方向内側に延在されている。従って、クランプ軸５４は、図４において、実線で示す支杆部５２ａに係合された位置と、二点鎖線で示す外側に９０°回動された位置との間を揺動変位自在に構成されている。このクランプ軸５４の先端側にクランプナット５５が螺合されている。
【００６２】
このような構成を有するクランプバンド５０の使用に際して、紫外線照射装置２０が取り付けられる装置の側には、上述した取付フランジ２４と略同様の形状を有する固定フランジ５８が設けられる。固定フランジ５８は、取付フランジ２４と上下対称形状となるように形成されており、リング部分の下面には半径方向外側に薄肉となるテーパ部が設けられている。このように、両フランジ２４，５８にそれぞれテーパ部を設けることにより、クランプバンド５０の使用に際し、一対のクランプ片５１，５２の締め込み時にくさび効果を生じさせ、両フランジ２４，５８間を強固に締付固定することができる。尚、両フランジ２４，５８の接触面間には、例えばヘルール等のような密着手段を設けることが好ましい。
【００６３】
この紫外線照射装置２０が使用される装置としては、例えば、飲料水を蓄える貯水タンク、果汁や飲食品・薬液や薬品等を殺菌したり充填したりするための装置、医療関係のクリーンルーム、その他各種の紫外線照射装置・紫外線照射機械に適用されるもので、紫外線による殺菌処理や、合成・分解等の化学反応による処理等が行われる各種の装置を挙げることができる。
【００６４】
この紫外線照射装置２０は、例えば、次のようにして使用することができる。クランプバンド５０を使用して紫外線照射装置２０を各種装置の所定位置に取り付け、ランプコード２５を電源に接続し、紫外線ランプ２１に通電する。これにより、フィラメント２１ｄに電流が流れてランプ部２１ａが発光し、このランプ部２１ａから紫外線が放射される。放射された紫外線は、紫外線光源カバー２２のカバー部２２ａから外部に放射され、紫外線による殺菌や化学反応等の処理に供される。
【００６５】
この場合、紫外線ランプ２１が紫外線光源カバー２２内に収納されて保護されているため、例えば、紫外線ランプ２１の寿命等によってランプ部２１ａが破損したような場合にも、ランプ部２１ａのガラス片が紫外線光源カバー２２内に保持され、カバー部２２ａを透過して外部に飛び散ることがない。そのため、ガラス片が紫外線処理の対象物である飲料水や食品、薬品等の中に入り込むおそれがなく、安全性の高い紫外線処理を実行することができる。
【００６６】
また、紫外線光源カバー２２内には保護枠体３７が収納されており、この保護枠体３７の内側に紫外線ランプ２１のランプ部２１ａが収納されているため、カバー部２２ａの所定量以上の変形を防止することができる。そのため、紫外線透過性フッ素樹脂（上述したＦＥＰやＰＦＡ等）であっても、これを使用して薄肉の紫外線光源カバー２２を形成することができる。しかも、ＦＥＰやＰＦＡは紫外線に対して安定しており、高温から低温までの広い温度範囲で電気的、化学的、機械的に優れた特性を有するために、紫外線の放射効率を大きく減少させることがない。
【００６７】
その一方、ＦＥＰ及びＰＦＡはブロー成形性に若干問題を有するが、本実施例のように、ＦＥＰ又はＰＦＡで形成されたパイプ状素材の一端を閉じ合わせ、その合わせ目を溶融させて溶着することにより、図３Ａ〜Ｃに示すように、その端部をしっかりと閉じ合わせて密閉することができる。従って、成形性に優れ、紫外線を良く透過できる紫外線光源カバー２２を容易に製造することができる。
【００６８】
この紫外線照射装置２０は、自然冷却によって紫外線ランプ２１の温度上昇を抑制することができる。即ち、紫外線ランプ２１の電極部２１ｂを保持するランプ支持具２３に金網リング（パンチングボードを含む。）３２が設けられているため、この金網リング３２を介して紫外線光源カバー２２の内外に空気を自由に通過させることができる。そのため、この金網リング３２を通過する空気の流れによって紫外線ランプ２１の、最も発熱量の大きいフィラメント２１ｄの有るランプ部２１ａの根元部分を冷却することができる。
【００６９】
この自然冷却の場合、ランプ部２１ａの温度が許容以上に高く上がり過ぎると、次のような影響を受けることになる。例えば、タンク内に収納されている物質が水である場合には、水中に含まれているカルシュム（Ｃａ）や鉄（Ｆｅ）或いはシリカゲル（SiO2・nH2O）等の焼付けが発生し、温水で洗浄しても汚れが落ち難くなる。また、タンク内に収納されている物質が糖分を含んでいるもの、油分を含んでいるもの、醤油や調味料、化学薬品、乳化剤等である場合も、同様に焼付けが発生して汚れが強固になる。
【００７０】
この点に関して、本実施例のようにＦＥＰ又はＰＦＡで紫外線光源カバー２２を形成したことにより、石英を用いて紫外線光源カバーを形成した場合に比べて、温度上昇の変化を小さなものとすることができた。これは、材質として石英や金属を用いる場合には、これらに紫外線が照射されることによって石英や金属の分子が振動し、その振動により熱が発生して、その熱が水や糖分等に含まれる物質に影響を与え、これが原因で上述した焼付けが発生したり、汚れが強固に付着し易くなること等が考えられる。
【００７１】
これに対して、ＦＥＰ又はＰＦＡで形成した場合には、紫外線の殺菌作用がある波長２００ｎｍから４００ｎｍの範囲は勿論のこと、４００ｎｍ以上太陽光の波長である４８０ｎｍから８００ｎｍの電磁波においても、これを十分に透過させることができるため、紫外線光源カバー２２の温度上昇が小さくて済むことが明らかになった。これにより、ＦＥＰ又はＰＦＡで形成した紫外線光源カバー２２の場合には、その外側に生じる汚れや焼付け現象が、石英ガラスに比べて非常に小さくなることが確認された。
【００７２】
また、金網リング３２に設けたノズル３６にバキューム装置或いは送風装置を接続することにより、紫外線光源カバー２２内の空気を強制的に吸引し、或いは紫外線光源カバー２２内に空気を強制的に圧送して、カバー内の熱を外部により効率良く放出することができる。これにより、ランプ部２１ａの温度が必要以上に高くなるのを抑制して、紫外線の放射効率を高く維持することができる。
【００７３】
尚、紫外線光源カバー２２の内部にファンを配設し、そのファンでカバー内に空気の対流を生じさせて強制的に冷却する構成とすることもできる。また、温度センサを用いて金網リング３２内や紫外線光源カバー２２内の温度を検出し、その内部が所定温度以上に高くなったときに、上記ファンを作動させたり、バキューム装置による空気の吸引動作、或いは空気の圧送動作を行う構成とすることもできる。
【００７４】
図６〜図８には、本発明に係る紫外線照射装置の第２の実施例を示す。この第２の実施例に示す紫外線照射装置６０は、上述した第１の実施例における紫外線光源カバーであるカバー本体２２等の第２の実施例を示すものである。尚、図６〜図８において、図１等に示した第１の実施例と同一部分には同一の符号を付してそれらの説明は省略する。
【００７５】
この第２の実施例として示す紫外線光源カバーは、紫外線ランプ２１のランプ部２１ａを覆うカバー本体６１と、このカバー本体６１の内側に配置されてカバー本体６１を補強する補強部材の第１の具体例を示す保護金網６２とから構成されている。
【００７６】
カバー本体６１は、カバー部６１ａと固定部であるフランジ部６１ｂとからなり、カバー部６１ａの構成は紫外線光源カバー２２のカバー部２２ａと同一であるが、その固定部２２ｂとは固定部の構成が異なっている。即ち、カバー本体６１のフランジ部６１ｂは、半径方向外側に展開されたリング状の外フランジからなり、このフランジ部６１ｂによってカバー本体６１が取付フランジ６６側に固定される。このカバー本体６１の材質は、上述した実施例と同様にＦＥＰ又はＰＦＡが好ましいが、その他の紫外線透過性フッ素樹脂を用いることもできる。
【００７７】
保護金網６２は、金属製の金網によって試験管状に形成された金網本体６２ａと、この金網本体６２ａの開口側の端部に設けられたリング状のフランジ部６２ｂとから構成されている。金網本体６２ａの外径はカバー本体６１の内径よりも若干小径とされていて、その金網本体６２ａの開口端にフランジ部６２ｂが外側に展開するように固定されている。この金網本体６２ａ及びフランジ部６２ｂの材質としてはステンレス鋼（ＳＵＳ）が好適であるが、スチール鋼その他の金属を用いることもできる。
【００７８】
ランプ支持具６３は、上述した第１実施例のランプ支持具２３のうち、上部リング３１と金網リング３２とキャップナット３４とスリーブ３５とが同一であって、異なるところは下部リング６４である。下部リング６４は、一端側に外向きのフランジ部６４ａが設けられたリング状の部材からなり、フランジ部６４ａと反対側に金網リング３２が嵌合固定されている。下部リング６４のフランジ部６４ａの外径は保護金網６２のフランジ部６２ｂの外径と略同一とされていて、組立時には互いに面方向に対向される。
【００７９】
図８において、符号６５ａ、６５ｂ及び６５ｃは、それぞれリング状に形成された押パッキンであり、６５ｄは、同じくリング状に形成された押シートである。第１の押パッキン６５ａは、カバー本体６１のフランジ部６１ｂの下面に配置される。第２の押パッキン６５ｂはフランジ部６１ｂの上に載置され、この第２の押パッキン６５ｂの上に保護金網６２のフランジ部６２ｂが載置される。第３の押パッキン６５ｃはフランジ部６２ｂの上に載置され、この第３の押パッキン６５ｃの上に下部リング６４のフランジ部６４ａが載置される。更に、フランジ部６４ａの上に押シート６５ｄが載置される。
【００８０】
このように積層されたフランジ部６１ｂ，６２ｂ，６４ａ等が、取付具の第２の実施例を示すリング状の部材からなる取付フランジ６６及び取付ナット６７により挟持されている。取付フランジ６６は、上面の外周縁にテーパ面が設けられたリング状をなす固定部６６ａと、この固定部６６ａの上面に一体に設けられた同じくリング状をなす支持部６６ｂとを有している。取付フランジ６６の支持部６６ｂには、内面に設けられたリング状の凹部からなる支持穴６８ａと、外面に設けられたネジ部６８ｂとが形成されている。
【００８１】
また、取付ナット６７は、中央部に貫通穴６９ａが設けられたリング状をなす端面部６７ａと、この端面部６７ａの外周縁に連続して一面側に突出された同じくリング状をなす円筒部６７ｂとを有している。そして、円筒部６７ｂの内周面に、取付フランジ６６のネジ部６８ｂと螺合されるネジ部６９ｂとが形成されている。この取付フランジ６６の支持穴６８ａ内にフランジ部６１ｂ，６２ｂ，６４ａ等が積層状態で収納され、取付ナット６７の締め込みにより取付フランジ６６との間で挟持されて、紫外線光源カバー６１等が一体的に組み立てられて紫外線照射装置６０が構成されている。
【００８２】
尚、下部リング６４、取付フランジ６６及び取付ナット６７の材質としては、例えば、ステンレス鋼（ＳＵＳ３０４等）が好適であるが、スチール鋼その他の金属は勿論のこと、紫外線に強いエンジニアリングプラスチックを用いることもできる。また、押パッキン６５ａ〜６５ｃ及び押シート６５ｄの材質としては、紫外線に強いフッ素樹脂等が好適であるが、その他のシール用パッキンとして使用できるプラスチックを用いることもできる。他の構成は、上述した第１の実施例と同様である。
【００８３】
このような構成を有する第２の実施例に係る紫外線照射装置６０によっても、上述した紫外線照射装置２０と同様の効果を得ることができる。尚、この紫外線照射装置６０を、例えば貯水タンク等の他の装置に取り付ける手段は、第１の実施例と同様にクランプバンド５０によって行われる。
【００８４】
図９及び図１０には、本発明に係る紫外線照射装置の第３の実施例を示す。この第３の実施例に示す紫外線照射装置７０は、上述した第２の実施例におけるランプ支持具６３及び取付フランジ６６等に対応する第３の実施例を示すものである。尚、図９，図１０において、図６等に示した構成と同一部分には同一の符号を付してそれらの説明は省略する。
【００８５】
紫外線照射装置７０において、紫外線光源カバーを構成するカバー本体６１及び補強部材である保護金網６２は同一のものである。一方、ランプ支持具７１は、取付フランジ７２に固定されるベースプレート７３と、このベースプレート７３に固定される複数（本実施例では４個であるが、３個でも良く、また５個以上でも良い。）のスペーサブロック７４と、これらのスペーサブロック７４に固定されるランプ固定板７５と、ベースプレート７３に固定される紫外線遮蔽カバー７６と、ベースプレート７３と保護金網６２のフランジ部６２ｂとの間に介在される押リング７７等から構成されている。
【００８６】
ベースプレート７３はリング状の板材で構成されており、その内周縁の近傍にはスペーサブロック７４を取り付けるための複数のネジ穴が設けられている。複数のネジ穴は周方向に略等間隔に設けられており、これらのネジ穴に対応する挿通穴がランプ固定板７５の対応する位置に設けられている。更に、ランプ固定板７５には、空気を通過させるための複数の空気抜き穴７５ａが設けられている。このランプ固定板７５の中央部には中央穴７５ｂが設けられており、この中央穴７５ｂにランプ部２１ａを挿入した状態で紫外線ランプ２１Ａがランプ固定板７５に着脱可能に固定されている。
【００８７】
尚、ランプ固定板７５は、電極部２１ｂと一体ものとして構成しても良い。更に、ベースプレート７３とランプ固定板７５との隙間をスペーサブロック７４によって十分に大きく確保できる場合には、ランプ固定板７５の空気抜き穴７５ａは設ける必要が無い。また、スペーサブロック７４を溶接等の固着手段によって予めベースプレート７３に一体に固定しておくことにより、スペーサブロック７４の脱落を防止して紛失するおそれをなくすことができる。
【００８８】
また、各スペーサブロック７４には挿通穴が設けられており、ランプ固定板７５の各挿通穴とスペーサブロック７４の挿通穴とを貫通してベースプレート７３の各ネジ穴に螺合される複数の固定ネジ７８ａによってランプ固定板７５が、スペーサブロック７４を介してベースプレート７３にネジ止めされて固定されている。従って、ベースプレート７３とランプ固定板７５との間にはスペーサブロック７４による隙間が設定されており、この隙間とランプ固定板７５に設けた空気抜き穴７５ａとによって紫外線光源カバーの内外を連通する開口部が形成されている。ランプ固定板７５のカバー本体６１側の面は、紫外線を反射する反射面とすることが好ましい。
【００８９】
更に、ベースプレート７３の上面には、ランプ固定板７５を囲うように紫外線遮蔽カバー７６が載置されている。紫外線遮蔽カバー７６は、一端に外向きのフランジ部７６ａが設けられた円筒体からなり、そのフランジ部７６ａ側には空気を通過させるための複数の空気穴７６ｂが設けられている。そして、フランジ部７６ａを貫通する複数の固定ネジ７８ｂによって紫外線遮蔽カバー７６が、ベースプレート７３上に締付固定されている。このベースプレート７３は、固定ネジ７８ｂによって同時に、取付フランジ７２に締付固定されている。
【００９０】
取付フランジ７２は、上面の外周縁にテーパ面が設けられたリング状をなす固定部７２ａと、この固定部７２ａの上面に一体に設けられた同じくリング状をなす支持部７２ｂとを有している。取付フランジ７２の支持部７２ｂは、半径方向外側に展開された外フランジを有し、この支持部７２ｂ上にベースプレート７３の外周縁が重ね合わされている。そして、フランジ部７６ａ及びベースプレート７３を貫通して支持部７２ｂに螺合する固定ネジ７８ｂにより、紫外線遮蔽カバー７６及びベースプレート７３が取付フランジ７２に締付固定されている。
【００９１】
この取付フランジ７２の支持部７２ｂの内側に設けられた支持穴７２ｃには、カバー本体６１のフランジ部６１ｂと保護金網６２のフランジ部６２ｂと押リング７７等が積層状態で収納される。図９において、符号７９ａはＯ−リング、７９ｂはリング状に形成された押パッキン、７９ｃ及び７９ｄは、同じくリング状に形成された押シートである。
【００９２】
また、取付フランジ７２の支持穴７２ｃの底にはＯ−リング７９ａが収納され、このＯ−リング７９ａの上にカバー本体６１のフランジ部６１ｂが載置される。フランジ部６１ｂの上には保護金網６２のフランジ部６２ｂが載置され、このフランジ部６２ｂの上に第１の押シート７９ｃが載置される。更に、第１の押シート７９ｃの上には押リング７７が載置され、この押リング７７の上に第２の押シート７９ｄが載置される。
【００９３】
このように積層されたフランジ部６１ｂ，６２ｂ，６４ａ等が、取付具の第３の実施例を示すリング状の部材からなる取付フランジ７２とベースプレート７３とによって挟持される。即ち、固定ネジ７８ｂの締め込みにより、積層状態のフランジ部６１ｂ，６２ｂ，６４ａ等が取付フランジ７２とベースプレート７３との間で挟持され、これによりカバー本体６１等が一体的に組み立てられて紫外線照射装置７０が構成されている。
【００９４】
尚、紫外線ランプ２１Ａのランプ部２１ａは、フィラメント２１ｄ側の１箇所若しくは２〜４箇所において連結部２１ｅによっても連通されている。この連結部２１ｅは、ランプ点灯によるガラス管の振動防止を目的として設けたもので、同質の石英材料で棒状に形成して両端がガラス管に溶着されている。また、紫外線ランプ２１Ｂとしては、図１９Ａ〜Ｃに示すような構成とすることができる。この紫外線ランプ２１Ｂは、ランプ部２１ａのＵ字状をなすガラス管を中途部から電極部２１ｂ側に折り返したものである。ガラス管をこのように形成することにより、１本のガラス管を４本のガラス管のように見せることができ、大きさの割りに発光部分の大きな紫外線ランプを得ることができる。他の構成は、上述した第２の実施例と同様である。
【００９５】
この第３の実施例の場合には、スペーサブロック７４の高さを変えることによりベースプレート７３とランプ固定板７５との間の開口部の大きさを広狭自由に調整することができる。更に、この実施例では、開口部とランプ固定板７５の空気抜き穴７５ａとを設けたことにより、カバー本体６１の内外に空気の自然な対流を作ることができ、この空気の対流によりカバー内の熱を外部に放出して、紫外線ランプ２１Ａの温度上昇を抑制することができる。
【００９６】
図１１〜図１７には、本発明に係る紫外線照射装置の第４の実施例を示す。この第４の実施例に示す紫外線照射装置８０は、紫外線光源の第３の具体例を示す紫外線ランプ８１と、紫外線光源カバーを構成するカバー本体８２及び保護金網８３と、ランプ支持具８４と、このランプ支持具８４を介して紫外線ランプ８１を所定位置に取り付けるための取付フランジ８５と、この取付フランジ８５の上面側を覆う防護カバー８６等を備えて構成されている。
【００９７】
紫外線ランプ８１は、石英ガラス管をコイル状に巻回するようにして形成されたランプ部８１ａと、このランプ部８１ａのフィラメント側の両端に取り付けられた２個のランプ固定具８１ｂ，８１ｂと、これらのランプ固定具８１ｂを固定支持するランプ固定板８１ｃとを有し、各ランプ固定具８１ｂに２本のランプコード８７の各一端が接続されている。ランプ部８１ａは、略直線的に延在された直線部８１a1と、この直線部８１a1の周囲を螺旋状に巻回するように延在された螺旋部８１a2とを有し、これらの先端部において互いに連通されて一体に構成されている。
【００９８】
紫外線ランプ８１のランプ固定板８１ｃは円盤状の板体からなり、その中央部において所定の間隔をあけて設けた２個の挿通穴にランプ部８１ａの両端が挿通されている。そして、ランプ固定板８１ｃのランプ部８１ａと反対側に２個のランプ固定具８１ｂが配置され、これらのランプ固定具８１ｂが接着剤その他の固着手段によってランプ固定板８１ｃに固定されている。尚、ランプ固定具８１ｂは、その直径を大きくする等して１個だけで形成しても良い。
【００９９】
紫外線光源カバーのカバー本体８２は、図１５〜図１７に示すような構成を有している。即ち、カバー本体８２は、略一定の肉厚で薄く形成された底のある筒状（有底筒状）のカバー部８２ａと、このカバー部８２ａの開口端に設けられた固定部８２ｂとからなり、固定部８２ｂの内側に設定された開口穴２６からランプ部８１ａが出し入れされる。カバー部８２ａには、その強度を増加させるための補強部の他の具体例を示す環状突条８８ａ及び複数の縦突条８８ｂと、肉厚を厚くして強度を高めた補強部としての厚肉部８８ｃとが設けられている。
【０１００】
補強部としての環状突条８８ａは、カバー部８２ａの軸方向略中央部において周方向へ連続する凸部として形成されている。これとは逆に、周方向へ連続する凹部からなる環状溝として補強部を形成してもよい。また、各縦突条８８ｂは、周方向に略等間隔に配置されていると共に所定幅で軸方向へ直線状に延在する凸部として形成されている。これとは逆に、軸方向へ連続する凹部からなる長溝として補強部を形成してもよく、また、軸方向に沿って螺旋状に連続する螺旋突条若しくは螺旋溝として形成してもよい。更に、補強部としては、多数の半球状に突出する半球凸部或いは半球状に凹む半球凹部として形成することもできる。
【０１０１】
カバー本体８２の固定部８２ｂには、図１７Ａに拡大して示すように、取付フランジ８５に対する密着性を高めるための座面８２b1を設けると良い。一般に、射出成形等によって成形された合成樹脂の表面はある程度の凹凸が存在するため、その凹凸を無くして平滑面とした座面８２b1を設けることにより、取付フランジ８５との密着性を高めて、その座面８２b1からの紫外線や空気その他の漏れを防止することができる。
【０１０２】
保護金網８３は、有底筒状の金網本体８３ａと、この金網本体８３ａの開口側の端部に設けられたフランジ部８３ｂとからなる。金網本体８３ａは、カバー本体８２のカバー部８３ａ内に緩く嵌合される大きさとされていて、フランジ部８３ｂの外径は固定部８２ｂの外径と略同一とされている。フランジ部８３ｂは固定部８２ｂの上に載置され、この積層状態で取付フランジ８５の凹陥部内に収納されている。
【０１０３】
取付フランジ８５は、略矩形とされた板体からなり、その中央部にカバー部８３ａが挿通される貫通穴８５ａが設けられている。図１４に拡大して示すように、取付フランジ８５の貫通穴８５ａの周縁には、固定部８２ｂ及びフランジ部８３ｂが収納される円形の第１の凹陥部８５ｂと、次に述べるベースリング等が収納される第２の凹陥部８５ｃとが同心上に設けられている。第１の凹陥部８５ｂには、環状溝に収納された０−リング８９が設けられており、この０−リング８９が固定部８２ｂの座面８２b1に圧接される。
【０１０４】
更に、固定部８２ｂ及びフランジ部８３ｂの外周縁には、断面Ｌ字状に形成されたパッキン９０ａが装着されている。尚、フランジ部８３ｂの下面に押しパッキンを配置し、このパッキンをフランジ部８３ｂで押すことも可能であり、かかる構成とすることによりパッキン９０ａが不要となる。
【０１０５】
また、第２の凹陥部８５ｃには、パッキン９０ｂとベースリング９１とが収納されている。パッキン９０ｂはパッキン９０ａの上に載置され、ベースリング９１及びパッキン９０ｂを貫通する固定ネジ９２ａの締め込みによりこれらが取付フランジ８５に固定されている。そして、パッキン９０ｂを介して作用するベースリング９１の押圧力によりパッキン９０ａ及び０−リング８９が上下からフランジ部８３ｂ及び固定部８２ｂに圧接され、弾性的に挟持されている。
【０１０６】
ランプ支持具８４は、リング状をなすベースリング９１と、このベースリング９１の上端縁に固定された同じくリング状をなす支持リング９３と、虫やゴミ等の侵入を防止するフィルタ９４等を備えている。ベースリング９１の内周縁には上方に立ち上げられたリング状の円筒部９１ａが設けられており、この円筒部９１ａには周方向に適当な間隔をあけて複数の開口穴９１ｂが設けられている。この開口穴９１ｂの外側にフィルタ９４がそれそれ貼着されている。そして、支持リング９３の上に紫外線ランプ８１のランプ固定板８１ｃが載置されており、このランプ固定板８１ｃが固定ネジ９２ｂによって支持リング９３に締付固定されている。
【０１０７】
更に、ベースリング９１の円筒部９１ａには、側方に突出する空気を流通させるためのノズル９１ｃが設けられている。このノズル９１ｃ及び複数のフィルタ９４によって空気がカバー本体８２の内外に流動し、その空気が外に流出する際にカバー本体８２内の熱が外部に放出される。これにより、紫外線ランプ８１の自然冷却が行われ、その温度上昇を抑制することができる。尚、ノズル９１ｃにバキュウーム装置や送風装置を接続し、カバー本体８２内の空気を吸引したり、カバー本体８２内に空気を圧送することにより、カバー本体８２内を強制的に冷却して、紫外線ランプ８１の冷却効率を高めることができる。
【０１０８】
また、図１１に示すように、取付フランジ８５には防護カバー８６が着脱自在に取り付けられている。図１３に示すように、取付フランジ８５は略正方形とされていて、その四隅には適当な大きさの隙間を有する金網やパンチングボード等によって形成された通気部８６ａが設けられている。また、防護カバー８６は、下面側が開口された四角形の箱体からなり、その底面を除く５面は、適当な大きさの隙間を有する金網やパンチングボード等によって形成されている。この防護カバー８６は、空気の通過を可能とすると共に虫やゴミ等の侵入を防止する役目を有するもので、取付フランジ８５の上面全体を覆う構成とされている。
【０１０９】
この防護カバー８６は、側方から螺合される複数の止めネジ９５によって締付固定自在とされている。そして、防護カバー８６の開口側の周縁部には、取付フランジ８５に対する深さ方向の位置決めをなす複数の位置決め片８６ａが設けられている。更に、防護カバー８６には、受け口を内部に開口させた状態でソケット９６が取り付けられている。ソケット９６には、電源に接続される接続ケーブル９６ａの一端が接続されている。このソケット９６には、上述したランプコード８７の先端に取り付けられたコネクタ９７が着脱可能に接続されている。尚、上述したベースリング９１と支持リング９３と固定ネジ９２ｂとによって、紫外線ランプ８１のためのランプ支持手段が構成されている。
【０１１０】
このような構成を有する紫外線照射装置８０は、例えば、図１４に示すように、貯水タンク９８の取付部９８ａに載置され、取付ボルト９９等の固着手段によって着脱可能に取り付けられる。そのため、取付フランジ８５には、取付ボルト９９の軸部が挿通される複数の挿通孔８５ｄが設けられている。このように紫外線照射装置８０を貯水タンク９８に取り付けると、紫外線光源カバーの略全体がタンク内に挿入され、紫外線ランプ８１のランプ部８１ａの略全体がタンク内に位置することになる。このような構成を有する紫外線照射装置８０によれば、上述した紫外線照射装置２０，６０及び７０と同様の効果を得ることができる。
【０１１１】
図１８には、本発明に係る紫外線照射装置の第５の実施例を示す。この第５の実施例に示す紫外線照射装置１００は、上述した第４の実施例におけるランプ支持具８４及び防護カバー８６の変形実施例を示す。尚、図１８において、図１１に示した第４の実施例と同一部分には同一の符号を付してそれらの説明は省略する。
【０１１２】
この実施例に係るランプ支持具１０１は、上述した図９に示す第３の実施例に係るスペーサブロック７４を用いて紫外線ランプ８１の放熱効果を高めるように構成したものである。ランプ支持具１０１は、取付フランジ８５に固定されるベースリング９１と、このベースリング９１に取り付けられる支持リング９３と、この支持リング９３に固定される複数（本実施例では４個）のスペーサブロック７４等から構成されている。即ち、ランプ支持具１０１は、紫外線ランプ８１のランプ固定板８１ｃと支持リング９３との間に複数のスペーサブロック７４を介在させたものである。スペーサブロック７４は、ランプ固定板８１ｃ及びスペーサブロック７４を貫通する固定ネジ９２ｂによって支持リング９３に固定されている。
【０１１３】
また、防護カバー１０２は、下面を除く５面が板材によって形成された四角形の箱体からなり、その４面の側面には、適当な大きさの通気口（ルーファー体）１０３がそれぞれ設けられている。各通気口１０３の内側は、金網やパンチングボード等の通気性を有する網部材１０４によって覆われており、これにより、空気が内外に流通するのを可能とすると共に、雨や虫等が入り込むのを防止又は抑制している。
【０１１４】
この実施例によれば、上述した第３の実施例と同様に、スペーサブロック７４の高さを変えてベースリング９３とランプ固定板８１ｃとの間の開口部の大きさを広狭調整することにより、カバー本体８２の内外に流通する空気量を変えて冷却効率を変えることができる。また、防護カバー１０２は、雨等が入り難い板材で形成されているため、雨の掛かり易いところに設置される装置に用いて効果的である。尚、防護カバー８６，１０２は、取付フランジ８５の上に載置させて取り付ける構成とすることもできる。
【０１１５】
このように、本発明の紫外線照射装置に係る紫外線光源カバーによれば、紫外線透過性フッ素樹脂（ＦＥＰ、ＰＦＡ等）で形成されたカバー本体２２，６１，８２の大部分をなすカバー部２２ａ，６１ａ，８２ａが薄肉に形成されているため、カバー部２２ａ，６１ａ，８２ａによる紫外線の透過率を高くして多量の紫外線を透過させることができる。そのため、カバー部２２ａ，６１ａ，８２ａによって遮られる紫外線の量を少なくして、紫外線ランプ２１，２１Ａ，８１から放射される紫外線を多量に且つ効率良く外部に放射させることができる。そして、必要に応じてカバー部２２ａ，６１ａ，８２ａには、凹凸を設けたり肉厚を変える等して強度を強くした補強部を設けることにより、カバー本体２２，６１，８２の強度を高めて十分な強度を付与することができる。
【０１１６】
以上説明したが、本発明は上述した実施例に限定して使用されるものではなく、上述した貯水タンク内の殺菌は勿論のこと、例えば、地下又は地上建物上に設置された受水槽内の殺菌、ダクトの殺菌、清涼飲料水や果汁飲料或いは加工食品等の殺菌、これら飲料等の製造ラインに設置される洗浄装置、充填装置、冷却装置、医療機械、半導体製造機、クリーンルーム、浴槽その他各種の装置、機械、器具の殺菌、滅菌等に使用される紫外線光源カバー及び紫外線照射装置として用いて好適なものである。このように、本発明は、その趣旨を逸脱しない範囲で種々変更できるものである。
【０１１７】
【発明の効果】
以上説明したように、本発明の紫外線光源カバーによれば、パイプの一端を閉じ合わせて溶着することによって密閉されたカバー部を形成し、他端に形成した固定部によってカバー本体を所定位置に取り付ける構成としたため、紫外線に強いフッ素樹脂系の紫外線透過性樹脂を用いてカバー本体を形成することができ、このカバー本体で紫外線光源を覆って保護することができる。しかも、紫外線の透過率を高くして多量の紫外線を透過させることができ、石英ガラスと違って蓄熱率が低いために、石英ガラスよりも汚れや焼付け、乾燥が起こり難い。従って、カバー部に蓄熱される紫外線（電磁波）の量を少なくして、紫外線ランプから放射される紫外線を多量に且つ効率良く外部に放射させることができ、表面の乾燥や焼付け、汚れの付着を減少させることができるという効果を得ることができる。
【０１１８】
また、本出願の紫外線照射装置によれば、紫外線に強いフッ素樹脂系の紫外線透過性樹脂を用いて紫外線光源カバーを形成し、この紫外線光源カバーを用いて紫外線光源を覆う構成としたため、外部からの入力等によっても紫外線光源カバーが破壊され難く、紫外線光源をしっかりと保護することができる。更に、必要に応じてカバー部に、凹凸を設けたり肉厚を変える等して強度を強くした補強部を設けることにより、カバー本体の強度を高めて十分な強度を付与することができ、外力に対して損傷のし難い紫外線光源カバーを有する紫外線照射装置を提供することができる。
【図面の簡単な説明】
【図１】本発明の紫外線照射装置の第１の実施例を示すもので、中央部分を縦方向に断面した説明図である。
【図２】図１に示す紫外線照射装置の正面図である。
【図３】図１に示す紫外線照射装置に係るカバー本体を示すもので、同図Ａは正面図、同図Ｂは縦断面図、同図Ｃは底面図である。
【図４】図１に示す紫外線照射装置を取り付けるためのクランプバンドを示す平面図である。
【図５】図４に示すクランプバンドを縦方向に断面した説明図である。
【図６】本発明の紫外線照射装置の第２の実施例を示すもので、中央部分を縦方向に断面した説明図である。
【図７】図６に示す紫外線照射装置に係るランプ支持具の一部を分解して断面して示す説明図である。
【図８】図６に示す紫外線照射装置の要部を拡大して示す説明図である。
【図９】本発明の紫外線照射装置の第３の実施例を示すもので、中央部分を縦方向に断面した説明図である。
【図１０】図９に示す紫外線照射装置に係るランプ支持具を分解して示す説明図である。
【図１１】本発明の紫外線照射装置の第４の実施例を示すもので、中央部分から右半分を縦方向に断面した説明図である。
【図１２】図１１に示す紫外線照射装置の平面図である。
【図１３】図１１に示す紫外線照射装置の底面図である。
【図１４】図１１に示す紫外線照射装置の要部を拡大して示す説明図である。
【図１５】図１１に示す紫外線照射装置に係るカバー本体を示すもので、中央部分から右半分を縦方向に断面した説明図である。
【図１６】図１５に示すカバー本体のＳ−Ｓ線断面図である。
【図１７】図１５及び図１６に示すカバー本体の要部を示すもので、同図Ａは図１５のＴ部分を拡大した断面図、同図Ｂは図１５のＵ部分を拡大した断面図、同図Ｃは図１５のＶ部分を拡大した断面図、同図Ｄは図１６のＷ部分を拡大した断面図である。
【図１８】本発明の紫外線照射装置の第５の実施例を示すもので、中央部分から右半分を縦方向に断面した説明図である。
【図１９】本発明の紫外線照射装置に係る紫外線ランプの他の実施例を示すもので、同図Ａは正面図、同図Ｂは側面図、同図Ｃは平面図である。
【図２０】従来の紫外線照射装置の第１の例を示す縦断面図である。
【図２１】従来の紫外線照射装置の第２の例を示す縦断面図である。
【符号の説明】
２０，６０，７０，８０，１００  紫外線照射装置、  ２１，２１Ａ，８１  紫外線ランプ、  ２１ａ，８１ａ  ランプ部、  ２２ａ，６１ａ，８２ｂ  カバー部、  ２２ｂ，６１ｂ，８２ｂ  固定部（固定手段）、  ２２ｄ  接合部、  ２３，６３，７１，８４，１０１  ランプ支持具、  ２４，６６，７２，８５  取付フランジ、  ２７ａ  ネジ部（固定手段）、  ２８  環状溝（補強部）、  ３２  金網リング、  ３４  キャップナット、  ３６，９１ｃ  ノズル、  ３７保護枠体（補強部材）、  ５０  クランプバンド（取付具）、  ６１，８２  カバー本体、  ６２，８３  保護金網、  ７３  ベースプレート、  ７４  スペーサブロック、  ７５，８１ｃ  ランプ固定板、  ７６  紫外線遮蔽カバー、  ８６，１０２  防護カバー、  ９１  ベースリング、  ９３  支持リング
【図１】
0004667671.tif 000004
【図２】
0004667671.tif 000005
【図３】
0004667671.tif 000006
【図４】
0004667671.tif 000007
【図５】
0004667671.tif 000008
【図６】
0004667671.tif 000009
【図７】
0004667671.tif 000010
【図８】
0004667671.tif 000011
【図９】
0004667671.tif 000012
【図１０】
0004667671.tif 000013
【図１１】
0004667671.tif 000014
【図１２】
0004667671.tif 000015
【図１３】
0004667671.tif 000016
【図１４】
0004667671.tif 000017
【図１５】
0004667671.tif 000018
【図１６】
0004667671.tif 000019
【図１７】
0004667671.tif 000020
【図１８】
0004667671.tif 000021
【図１９】
0004667671.tif 000022
【図２０】
0004667671.tif 000023
【図２１】
0004667671.tif 000024